(57)【要約】【課題】吸液性を有するとともに、着用感を損ねることなく、比較的に十分な大きさの排泄物受容スペースを形成することのできる排泄物受容域を備えた着用物品の提供。【解決手段】着用物品１０の吸収体２５は、島状であって吸液性を有する排泄物受容域５０と、排泄物受容域５０を囲むように位置する吸液性の周辺域５１とを有する。吸収体２５の体液の吸収後において、排泄物受容域５０の厚さ寸法Ｄ１が周辺域の厚さ寸法Ｄ２，Ｄ３よりも小さくなっている。吸収体２５の体液の吸収後における排泄物受容域５０と周辺域５１との厚さ寸法の差が、吸収体２５の体液の吸収前における排泄物受容域５０と周辺域５１との厚さ寸法の差よりも大きくなっている。【選択図】図５
2019118543.tif 000002
【特許請求の範囲】
【請求項１】
縦方向及び横方向と、厚さ方向とを有し、前記横方向の寸法を２等分する縦断中心線と、前ウエスト域と、後ウエスト域、前記前後ウエスト域間に位置するクロッチ域と、少なくとも前記クロッチ域に位置する吸収体とを含む着用物品において、
前記吸収体は、島状であって吸液性を有する排泄物受容域と、前記排泄物受容域を囲むように位置する吸液性の周辺域とを有し、
前記排泄物受容域は、前記縦断中心線と重なって位置し、
前記吸収体の体液の吸収後において、前記排泄物受容域の厚さ寸法が前記周辺域の厚さ寸法よりも小さく、
前記吸収体の前記体液の吸収後における前記排泄物受容域と前記周辺域との厚さ寸法の差が、前記吸収体の前記体液の吸収前における前記排泄物受容域と前記周辺域との厚さ寸法の差よりも大きいことを特徴とする着用物品。
【請求項２】
前記吸収体の前記体液の吸収前において、前記排泄物受容域の厚さ寸法は前記周辺域の厚さ寸法よりも小さい請求項１に記載の着用物品。
【請求項３】
前記吸収体は、超吸収性ポリマー粒子を含む吸収性コアを有し、前記排泄物受容域の超吸収性ポリマー粒子の含有率が前記周辺域の超吸収性ポリマー粒子の含有率よりも低い請求項１又は２に記載の着用物品。
【請求項４】
前記排泄物受容域は、複数のドット状の圧縮凹部を有する請求項１−３のいずれかに記載の着用物品。
【請求項５】
前記吸収体の肌対向面側に位置する表面シートをさらに有し、前記吸収体は、前記吸収性コアと前記吸収性コアの前記肌対向面を被覆する第１コアカバーシートと前記吸収性コアの非肌対向面側を被覆する第２コアカバーシートとを含み、前記表面シート、前記第１コアカバーシート及び前記第２コアカバーシートのうちの少なくともいずれか１つのシートが、熱可塑性繊維を含む繊維不織布から形成されている請求項３に記載の着用物品。
【請求項６】
前記排泄物受容域全体の面積に対する前記圧縮凹部の総面積率は、１０〜６５％である請求項１−５のいずれかに記載の着用物品。
【請求項７】
前記表面シートの内面における、前記排泄物受容域の前記圧縮凹部と前記厚さ方向において対向する部分には、接着剤が塗布されている請求項４又は６に記載の着用物品。
【請求項８】
前記周辺域は、前記排泄物受容域の外周縁の少なくとも一部に沿って位置する第１吸収部と、前記第１吸収部の外周から外方へ延在する第２吸収部とを有し、前記第１吸収部の超吸収性ポリマー粒子の含有率が前記第２吸収部の超吸収性ポリマー粒子の含有率よりも高い請求項３に記載の着用物品。
【請求項９】
前記おむつの前記縦方向の寸法を２等分する横断中心線をさらに有し、
前記排泄物受容域が前記クロッチ域において前記横断中心線に関して前記前ウエスト域側又は前記後ウエスト域側に偏倚して位置し、
前記第１吸収部が、前記排泄物受容域の前記横方向の外側において前記縦方向へ延びる第１及び第２縦断部分と、前記排泄物受容域の前記縦方向の外側において前記横方向へ延びる横断部分とを有し、
前記横断中心線へ向かって凹となる形状を有する請求項８に記載の着用物品。
【請求項１０】
前記第１吸収部は、前記第１及び第２縦断部分のみ又は前記横断部分のみから形成される請求項９に記載の着用物品。
【請求項１１】
前記前後ウエスト域のうちの少なくとも一方のウエスト域を保持するためのホールド域をさらに有し、
前記排泄物受容域は、前記ホールド域よりも前記縦方向の内側に位置し、前記ホールド域と重なっていない請求項１−１０のいずれかに記載の着用物品。
【請求項１２】
前記表面シートの前記肌対向面側において、前記縦方向へ延びる一対のバリアカフをさらに有し、
前記バリアカフは、前記表面シートの前記肌対向面側に倒伏された状態において前記縦方向へ延びる内側縁部を有し、
前記排泄物受容域は、前記バリアカフの前記内側縁部間に配置され、前記内側縁部とは重なっていない請求項５又は７に記載の着用物品。
【請求項１３】
体液の吸収前における前記排泄物受容域の前記厚さ寸法と前記周辺域の前記厚さ寸法との差が、１．５ｇｆ／ｃｍ２荷重下における前記表面シートの厚さ寸法よりも小さい又はそれと同等である請求項５又は７に記載の着用物品。
【請求項１４】
前記排泄物受容域は、前記肌対向面側又は前記非肌対向面から視認可能な着色部分を有する請求項１１−１３のいずれかに記載の着用物品。
【発明の詳細な説明】
【技術分野】
【０００１】
本発明は、使い捨ておむつ、使い捨ておむつカバー等の着用物品に関する。
【背景技術】
【０００２】
従来、排泄物受容域（便ポケット）を備える着用物品は、公知である。例えば、特許文献１には、クロッチ域の中央部において表面側から裏面側へ窪んで形成した凹部と、凹部の周縁を画成する隆起部とからなる排泄物受容域を備えた使い捨て着用物品が開示されている。特許文献２には、クロッチ域において、吸収体の一部を刳り抜いて形成した排泄物受容域を備えた使い捨て着用物品が開示されている。
【先行技術文献】
【特許文献】
【０００３】
【特許文献１】実開平５−８６３２０号公報
【特許文献２】特開２００７−２１１９１号公報
【発明の概要】
【発明が解決しようとする課題】
【０００４】
特許文献１及び２に開示の着用物品によれば、排泄物受容域において排泄物を受容することができるので、排泄物が前後ウエスト域へ広がって着用者の身体を汚すのを抑制することができる。
【０００５】
しかしながら、特許文献１に開示の着用物品においては、着用中の排泄前において、排泄物を十分に受容するために、隆起部と凹部とによる比較的に大きな凹凸の高低差が形成されている。したがって、着用したときに着用者に違和感を与えるおそれがあるとともに、嵩張って携帯性に劣る。かかる着用感及び携帯性の低下を防ぐために、隆起部と凹部との高低差を小さくした場合には、排泄物の受容スペースが小さくなるので、十分に排泄物を受容することができない。
【０００６】
一方、特許文献２に開示の着用物品においても、刳り抜いた排泄物受容域と他の領域との間に凹凸の高低差が形成されて着用感が低下するおそれあるとともに、排泄物受容域は吸収体が存在していないことから、それ自体に吸収性がなく、排泄物受容域に受容された液体の排泄物を吸収・保持することができない。また、このように排泄物受容域を刳り抜いて形成する場合には、吸収体が所要の厚さ寸法を有する必要があり、比較的に肉厚となって、下着の外面にその外形線が表れて外観を損ねるおそれがある。
【０００７】
本発明の目的は、吸液性を有するとともに、着用感を損ねることなく、比較的に十分な大きさの受容スペースを形成することのできる排泄物受容域を備えた着用物品の提供に関する。
【課題を解決するための手段】
【０００８】
前記課題を解決するために、この発明は、縦方向及び横方向と、厚さ方向とを有し、前記横方向の寸法を２等分する縦断中心線と、前ウエスト域と、後ウエスト域、前記前後ウエスト域間に位置するクロッチ域と、少なくとも前記クロッチ域に位置する吸収体とを含む着用物品に関する。
【０００９】
本発明に係る着用物品は、前記吸収体は、島状であって吸液性を有する排泄物受容域と、前記排泄物受容域を囲むように位置する吸液性の周辺域とを有し、前記排泄物受容域は、前記縦断中心線と重なって位置し、前記吸収体の体液の吸収後において、前記排泄物受容域の厚さ寸法が前記周辺域の厚さ寸法よりも小さく、前記吸収体の前記体液の吸収後における前記排泄物受容域と前記周辺域との厚さ寸法の差が、前記吸収体の前記体液の吸収前における前記排泄物受容域と前記周辺域との厚さ寸法の差よりも大きいことを特徴とする。
【００１０】
本発明に係る着用物品は、以下の好ましい実施態様を有する。
（１）前記吸収体の前記体液の吸収前において、前記排泄物受容域の厚さ寸法は前記周辺域の厚さ寸法よりも小さい。かかる場合には、着用補助者が、使用する前に、排泄物受容域の存在域を確認することができ、排泄物の漏れに対する安心感を与えることができる。
（２）前記吸収体は、超吸収性ポリマー粒子を含む吸収性コアを有し、前記排泄物受容域の超吸収性ポリマー粒子の含有率が前記周辺域の超吸収性ポリマー粒子の含有率よりも低い。かかる場合には、排泄物受容域において体液を吸収・保持することができるとともに、吸収体に体液が吸収された後、超吸収性ポリマー粒子が膨潤して周辺域と排泄物受容域との間に段差が生じ、受容スペースを形成することができる。
（３）前記排泄物受容域は、複数のドット状の圧縮凹部を有する。かかる場合には、排泄物受容域においてより体液を引込み易く、また、剛性が高くって、着用状態における排泄物受容域の変形を抑制することができる。
（４）前記吸収体の肌対向面側に位置する表面シートをさらに有し、前記吸収体は、前記吸収性コアと前記吸収性コアの前記肌対向面を被覆する第１コアカバーシートと前記吸収性コアの非肌対向面側を被覆する第２コアカバーシートとを含み、前記表面シート、前記第１コアカバーシート及び前記第２コアカバーシートのうちの少なくともいずれか１つのシートが、熱可塑性繊維を含む繊維不織布から形成されている。かかる場合には、表面シート側から吸収体とともに熱エンボス加工を施したときに、熱可塑性繊維が融着して積層されたシートどうしの接合強度が向上する。
（５）前記排泄物受容域全体の面積に対する前記圧縮凹部の総面積率は、１０〜６５％である。かかる場合には、圧縮凹部が所要の体形の引込み効果を発揮するとともに、排泄物受容域の剛性が高くなりすぎて着用者に違和感を与えることもない。
（６）前記表面シートの内面における、前記排泄物受容域の前記圧縮凹部と前記厚さ方向において対向する部分には、接着剤が塗布されている。かかる場合には、圧縮凹部を吸収体にのみ形成している場合であっても表面シートを圧縮凹部に沿って凹状に変形させることができ、着用前に排泄物受容域の外形線をより明瞭にして視認させることができる。
（７）前記周辺域は、前記排泄物受容域の外周縁の少なくとも一部に沿って位置する第１吸収部と、前記第１吸収部の外周から外方へ延在する第２吸収部とを有し、前記第１吸収部の超吸収性ポリマー粒子の含有率が前記第２吸収部の超吸収性ポリマー粒子の含有率よりも高い。かかる場合には、吸収体の体液吸収後において、超吸収性ポリマー粒子が膨潤して第１吸収部が第２吸収部よりもさらに肉厚になって、第１吸収部と排泄物受容域との間により大きな受容スペースが画成される。
（８）前記おむつの前記縦方向の寸法を２等分する横断中心線をさらに有し、前記排泄物受容域が前記クロッチ域において前記横断中心線に関して前記前ウエスト域側又は前記後ウエスト域側に偏倚して位置し、前記第１吸収部が、前記排泄物受容域の前記横方向の外側において前記縦方向へ延びる第１及び第２縦断部分と、前記排泄物受容域の前記縦方向の外側において前記横方向へ延びる横断部分とを有し、前記横断中心線へ向かって凹となる形状を有する。かかる場合には、第１吸収部が、排泄物受容域内の排泄物がクロッチ域側から前ウエスト域のウエスト開口側又は後ウエスト域のウエスト開口側へ移動するのを抑制する障壁として機能しうる。
（９）前記第１吸収部は、前記第１及び第２縦断部分のみ又は前記横断部分のみから形成される。かかる場合には、第１吸収部が、排泄物受容域内の排泄物が横方向の外側又は縦方向の外側へ移動するのを抑制する障壁として機能しうる。
（１０）前記前後ウエスト域のうちの少なくとも一方のウエスト域を保持するためのホールド域をさらに有し、前記排泄物受容域は、前記ホールド域よりも前記縦方向の内側に位置し、前記ホールド域と重なっていない。かかる場合には、ホールド域によって排泄物受容域が着用者の身体へ押し当てられて受容スペースが崩れるのを抑制することができる。
（１１）前記表面シートの前記肌対向面側において、前記縦方向へ延びる一対のバリアカフをさらに有し、前記バリアカフは、前記表面シートの前記肌対向面側に倒伏された状態において縦方向へ延びる内側縁部を有し、前記排泄物受容域は、前記バリアカフの前記内側縁部間に配置され、前記内側縁部とは重なっていない。かかる場合には、排泄物受容域の収容容量を超えて吸収・保持することができなかった排泄物が横漏れするのを効果的に抑制することができる。
（１２）体液の吸収前における前記排泄物受容域の前記厚さ寸法と前記周辺域の前記厚さ寸法との差が、１．５ｇｆ／ｃｍ２荷重下における前記表面シートの厚さ寸法よりも小さい又はそれと同等である。かかる場合には、着用補助者が、使用する前に、おむつの肌対向面側を撫でるように触れたときに感触として排泄物受容域の存在域を確認することができる。
（１３）前記排泄物受容域は、前記肌対向面側又は前記非肌対向面から視認可能な着色部分を有する。かかる場合には、着用者及び着用者補助者に対して排泄物受容域を認識させ、排泄物の横漏れや排泄物の身体への付着に対して安心感を与えることができる。
【発明の効果】
【００１１】
本発明に係る着用物品の少なくとも１つの実施形態においては、吸収体が島状であって吸液性を有する排泄物受容域を備え、体液の吸収前において排泄物受容域と周辺域との間には段差が形成されていない又は比較的に小さな段差が形成されているのみであるから、着用者に違和感を与えるおそれはない。一方、体液の吸収後において排泄物受容域の存在域には比較的に深くて大きな受容スペースが形成されることから、排泄物が排泄物受容域において吸収・保持されて排泄物の拡散が抑制され、排泄物によって身体が汚れるのを抑制することができる。また、体液の吸収後において、体液の吸収前に比して排泄物受容域と周辺域との厚さ寸法の差が大きくなることから、体液吸収後の着用物品の交換時に、着用者及び着用補助者がそれを視認することによって、排泄物の漏れに対して安心感を与えることができる。
【図面の簡単な説明】
【００１２】
【図１】本発明に係る着用物品の一例として示す、第１実施形態に係る使い捨てのおむつの斜視図。
【図２】おむつの一部破断展開平面図。
【図３】吸収体の平面図。
【図４】図２のＩＶ−ＩＶ線に沿う断面図。
【図５】（ａ）体液の吸収前における、図４の一点鎖線Ｖ（ａ）で囲んだ領域の一部拡大図。（ｂ）体液の吸収後における、図５（ａ）と同様の一部拡大断面図。
【図６】体液の吸収後におけるおむつの展開斜視図。
【図７】本発明の第２実施形態におけるおむつの平面図。
【図８】本発明の第３実施形態に係るおむつの吸収体の平面図。
【図９】（ａ）本発明の第４実施形態に係るおむつの図５（ａ）と同様の断面図。（ｂ）本発明の第４実施形態に係る図５（ｂ）と同様の一部拡大断面図。
【発明を実施するための形態】
【００１３】
＜第１実施形態＞
図１及び２を参照すると、本発明に係る使い捨て着用物品の一例である使い捨てのおむつ１０は、縦方向Ｙ及びそれに交差する横方向Ｘと、厚さ方向Ｚと、肌対向面及びその反対側の非肌対向面と、横方向Ｘの寸法を二等分する縦断中心線Ｐと、縦方向Ｙの寸法を二等分する横断中心線Ｑとを有し、縦断中心線に関してほぼ対称であり、前ウエスト域１１と、後ウエスト域１２と、前ウエスト域１１および後ウエスト域１２の間に位置するクロッチ域１３とを含む。
【００１４】
おむつ１０は、縦方向Ｙに対向して横方向Ｘへ延びる前後端部１６，１７と、横方向に対向して縦方向へ延びる両側縁部１８，１９とを有する。両側縁部１８，１９は、着用者の大腿部にフィットするように凹曲状に形成されている。
【００１５】
おむつ１０は、肌対向面側に位置する透液性の表面シート２１と、非肌当接面側に位置する不透液性の裏面シート２２と、表裏面シート２１，２２間に介在して固定された吸液性の吸収体２５と、吸収体２５と裏面シート２２との間に介在して固定された防漏シート２６と、表面シート２１の肌対向面側に固定された一対のバリアカフ２７とをさらに含む。
【００１６】
表面シート２１と裏面シート２２とには、ＳＭＳ繊維不織布、スパンボンド繊維不織布、エアスルー繊維不織布等の各種公知の繊維不織布、又は繊維不織布とプラスチックフィルム（表面シートの場合には、多孔性を有するもの）とのラミネートシート等が好適に用いられる。防漏シート２６は、好ましくは通気性を有する、疎水性及び耐水性のシート材料、例えば、疎水性の繊維不織布や通気性プラスチックフィルムから形成される。
【００１７】
図２，３を参照すると、吸収体２５は、所要の形状に賦形された半剛性のパネル形状であって、横方向へ延びる前後端縁２５ａ，２５ｂと、前後端縁２５ａ，２５ｂ間において縦方向へ延びる両側縁２５ｃ，２５ｄとを有する。吸収体２５は、フラッフ木材パルプと、不水溶性であって自重の数十〜数百倍の吸収力を有する超吸収性ポリマー（super absorbent polymer） 粒子（ＳＡＰ粒子）との混合物から形成された吸収性コア３０と、吸収性コア３０をカバーするコアカバーシート３１とを有する。
【００１８】
コアカバーシート３１は、吸収性コア３０の保形及び体液の拡散をするためのシートであって、比較的に肉薄の親水性シート、ティッシュペーパ等から形成される。コアカバーシート３１は、吸収性コア３０の肌対向面側を被覆する第１コアカバーシート３１ａと、吸収性コア３０の非肌対向面側を被覆する第２コアカバーシート３１ｂとを有する。吸収性コア３０とそれを被覆する第１及び第２コアカバーシート３１ａ，３１ｂとは、それらの対向面のいずれか一方に塗布されたホットメルト接着剤（図示せず）を介して互いに接合されている。コアカバーシート３１は、吸収性コア３０全体を被包する限りにおいて、第１コアカバーシート３１ａと第２コアカバーシート３１ｂとが一体に形成されていてもよい。
【００１９】
バリアカフ２７は、吸収体の両側縁の外側近傍に沿って方向へ延びその近傍に固定されている近位縁部２７ａ、近位縁部２７ａよりも横方向の内側に位置していて内側縁部が折り返された遠位縁部２７ｂと、縦方向における両端固定部２７ｃ，２７ｄとを有する。遠位縁部２７ｂの内部にはその長さ方向へ延びるカフ弾性体２８が伸長状態で取り付けられ、カフ弾性体２８の収縮によって遠位縁部２７ｂが表面シート２１の上方へ離間する。
【００２０】
おむつ１０の両側縁部１８，１９では、バリアカフ２７と裏面シート２２との間に伸長状態で収縮可能に取り付けられた、クロッチ域１３の両側縁に沿って延びるレッグ弾性体２９が配置される。レッグ弾性体２９は、所定幅を有するリボン状であって、糸状の弾性材料から形成される場合に比べて身体に優しくフィットされる。
【００２１】
おむつ１０は、一対のテープファスナ４０を有し、テープファスナ４０は後ウエスト域１２の両側縁部に取り付けられる。これらテープファスナ４０は、後ウエスト域１２の両側縁部の少なくとも一方に取り付けられ、その他方は予め連結されていてもよい。テープファスナ４０は、後ウエスト域１２の両側縁部を形成するバリアカフ２７と裏面シート２２との間に介在して固定された固定部４１と、後ウエスト域１２の両側縁から横方向の外側へ延びる自由部４２とを有する。自由部４２の肌対向面側には、メカニカルファスナ要素のフック群を有する止着域４３が位置する。
【００２２】
前ウエスト域１１における裏面シート２２の外面には、メカニカルファスナのループ群を有し、テープファスナ１０の受止域を画成する受止シート（ターゲットテープ）４５が取り付けられている。図１に示すように、後ウエスト域１２の両側縁部に固定された一対のテープファスナ４０を前側へ掛け回して、前ウエスト域１１の外面に位置する一対の受止シート４５に止着域４３を係脱可能に係止することによって、ウエスト開口７及び一対のレッグ開口８が画成される。
【００２３】
後ウエスト域１２のテープファスナ４０の固定部４１間には、横方向へ延びる帯状のウエスト弾性体４６が配置される。ウエスト弾性体４６は、おむつ１０の後端部１７に位置し、表面シート２１と裏面シート２２との間に横方向へ伸長状態で収縮可能に取り付けられる。後端部１７にウエスト弾性体４６が配置されることによって、後ウエスト域１２を着用者の背部にフィットさせて着用中の位置ズレを防止するとともに、テープファスナ４０を前側に掛け回すときにウエスト弾性体４６の伸縮作用を利用することができるので、容易に止着操作を行うことができる。
【００２４】
本実施形態に係るオープン型のおむつ１０においては、テープファスナ４０間の領域は、ウエスト弾性体４６が配置されていない場合であっても、テープファスナ４０を止着することによって、着用状態においてウエスト回り方向へ引っ張られて着用者の身体へ押し当てられる領域であるから、テープファスナ４０の固定部４１間を結ぶ仮想の帯状域が、着用者の身体に安定的に保持されるホールド域といえる。一方、前後ウエスト域の両側縁部がサイドシームを介して互いに予め連結されているパンツ型のおむつの場合には、前後ウエスト域に配置された複数条のウエスト弾性体からなるウエスト弾性域であって、サイドシーム間の領域がホールド域となる。
【００２５】
図２〜４及び図５（ａ），（ｂ）を参照すると、吸収体２５は、島状であって吸液性を有する排泄物受容域５０と、排泄物受容域５０を囲むように位置する吸液性の周辺域５１とを有する。排泄物受容域５０は、少なくともクロッチ域１３において縦断中心線Ｐと重なって位置し、略八角形状を有している。吸収体２５が島域を構成する排泄物受容域５０と、それを囲む海域を構成する周辺域５１とからなる海島構造を有する限りにおいて、排泄物受容域５０は、他の多角形状であってもよいし、円形、楕円形状等の各種公知の形状を有していてもよい。ただし、本実施形態のように、排泄物受容域５０が多角形状を有することによって、着用中に排泄物受容域５０の外周縁部に加えられるそれを変形しようとする外力を分散して、体液吸収後における排泄物受容域５０と周辺域５１との厚さ寸法の差を製品において確実に実現することができる。
【００２６】
排泄物受容域５０においては、吸収性コア３０に含まれるＳＡＰ粒子の含有率が周辺域５１に比べて低くなっており、その吸収力が周辺域５１に比べて小さくなっている。周辺域５１は、排泄物受容域５０の外周縁の少なくとも一部に沿って位置する第１吸収部５２と、第１吸収部５２の外周から外方へ延在する第２吸収部５３とを有し、第１吸収部５２のＳＡＰ粒子の含有率が第２吸収部５３のＳＡＰ粒子の含有率よりも高くなっている。したがって、第１吸収部５２は、第２吸収部５３に比べて高い吸収力を有する。本実施形態においては、第１吸収部５２は排泄物受容域５０の外周縁全体を囲んだ形状を有している。ただし、後記の本願発明の技術的効果を奏する限りにおいて、第１吸収部５２は、排泄物受容域５０の少なくとも一部を囲んでいればよい。
【００２７】
排泄物受容域５０には、吸収体２５の肌対向面側から非肌対向面側へ向かって凹となる複数のドット状の圧縮凹部６０が配置されている。圧縮凹部６０は排泄物受容域５０のほぼ全域に万遍なく配置されている。また、排泄物受容域５０のうちの圧縮凹部６０が位置していない部分についても、僅かに圧縮されて周辺域５１に比べてその厚さ寸法が小さくなっており、排泄物受容域５０全体として周辺域５１よりも肉薄になっている。
【００２８】
図５（ａ）を参照すると、吸収体２５の体液の吸収前の状態において、排泄物受容域５０は周辺域５１に比べて肉薄であって、その厚さ寸法（圧縮凹部６０が配置されてない部分の厚さ寸法）Ｄ１は、周辺域５１の厚さ寸法Ｄ２，Ｄ３よりも小さくなっている。周辺域５１の厚さ寸法Ｄ２，Ｄ３は、第１吸収部５２の厚さ寸法Ｄ２と第２吸収部５３の厚さ寸法Ｄ３とを有する。ここで、排泄物受容域５０の厚さ寸法Ｄ１と周辺域５１の厚さ寸法Ｄ２，Ｄ３とは、吸収性コア３０とコアカバーシート３１とを含む吸収体２５の各領域の厚さ寸法を意味する。
【００２９】
このように、排泄物受容域５０の厚さ寸法Ｄ１が周辺域５１の厚さ寸法Ｄ２，Ｄ３よりも小さくなっていることから、おむつ１０の内面において表面シート２１を介して排泄物受容域５０の外形輪郭が現れる。また、着用補助者が、排泄物受容域５０を比較的に強い力で押圧したときには、排泄物受容域５０と周辺域５１との間に段差が形成されていることを感触で確認することができる。それによって、着用者及び／又は着用補助者に対して、クロッチ域１３に位置する吸収体２５には、排泄物を吸収・保持するための排泄物受容域５０が形成されていることを認識させることができ、排泄物の漏れに対して安心感を与えることができる。
【００３０】
また、体液の吸収前における排泄物受容域５０の厚さ寸法Ｄ１と周辺域５１の厚さ寸法Ｄ２，Ｄ３との差が、１．５ｇｆ／ｃｍ２荷重（着用補助者が使用前におむつ１０の肌対向面側を指先で撫でるように触れたときを想定した荷重）下における表面シート２１の厚さ寸法よりも小さい又はそれと同等になる。例えば、おむつ１０の使用前において、着用補助者が、肌触りを確認するために、おむつ１０の肌対向面側を指先で撫でるように触れることがある。かかる場合において、着用補助者が指先で表面シート２１を介して排泄物受容域５０の存在域を触れたときにも凹凸度合いの小さな、フラットに近い触感を与えることができ、乳幼児等の着用者に違和感を与えることがないという印象を与えることができる。このように、１．５ｇｆ／ｃｍ２荷重下において表面シート２１が所要の厚さ寸法を有する場合には、表面シート２１が、エアスルー繊維不織布、スパンレース繊維不織布等の比較的に嵩高な繊維不織布シートから形成されていることが好ましい。
【００３１】
図５（ｂ）を参照すると、吸収体２５の体液の吸収後においては、吸収性コア３０に含まれるＳＡＰ粒子が体液を吸収して膨潤することによって、体液吸収前に比べて吸収体２５全体の厚さ寸法が大きくなる。排泄物受容域５０においては、ＳＡＰ粒子の含有率が比較的に低いことから、ＳＡＰ粒子が体液を吸収して膨潤もその厚さ寸法の変化は比較的に小さい。一方、周辺域５１は排泄物受容域５０に比べてＳＡＰ粒子の含有率が高いことから、ＳＡＰ粒子が体液を吸収して膨潤することによってその厚さ寸法の変化は比較的に大きくなる。
【００３２】
したがって、吸収体２５の体液吸収後における排泄物受容域５０と周辺域５１との厚さ寸法の差が、吸収体２５の体液の吸収前における排泄物受容域５０と周辺域５１との厚さ寸法の差よりも大きくなっている。そのために、吸収体２５の体液吸収後においては、排泄物受容域５０の厚さ寸法Ｄ１が周辺域５１の厚さ寸法Ｄ２，Ｄ３よりも相対的にさらに小さくなってそれらの間には大きな段差が生じ、おむつ１０の排泄物受容域５０の存在域には、肌対向面側から非肌対向面側へ凹となる受容スペースＳが形成される。これによって、より多くの排泄物を排泄物受容域５０に吸収・保持することができ、また、吸収体２５の体液の吸収量が増加するほどに泄物受容域５０と周辺域５１との厚さ寸法の差が大きくなって受容スペースＳの容量がさらに大きくなるので、より多くの排泄物を吸収・保持することができる。
【００３３】
吸収体２５が体液を吸収する前においては、排泄物受容域５０と周辺域５１との間に大きな段差が形成されず、排泄物受容域５０に受容スペースＳが形成されていないことから、両域５０，５１に予め大きな段差が形成される場合に比べて着用者に違和感を与えることはなく、着用感に優れる。
【００３４】
既述のとおり、吸収体２５が体液を吸収した後には、排泄物受容域５０と周辺域５１との間に大きな段差が生じ、クロッチ域１３の排泄物受容域５０の存在域には受容スペースＳが形成される。通常、乳幼児はおむつを履いた後にパンツ等の下着を着用することから、着用補助者が排尿時の臭いを知覚し難く、排尿のみの場合には、排泄したことを着用補助者に気付かずに、そのまま長時間放置される場合が多い。したがって、着用者がおむつ内で排便するときには、多くの場合において、既に排尿がされていることから、排泄物の受容スペースを有しない着用物品を着用した場合には、排尿によってＳＡＰ粒子が膨潤して吸収体と身体との間に軟便を保持するためのスペースが形成されず、軟便で身体が汚れたり、軟便が背中を伝って外部に漏れ出るおそれがある。本実施形態に係るおむつ１０では、おむつ１０の排泄物受容域５０の存在域において受容スペースＳが形成されて軟便を吸収・保持することができるので、軟便によって身体が汚れたり、軟便が漏れるのを抑制することができる。
【００３５】
排泄物受容域５０は、それ自体が吸収性を有することから、受容スペースＳ内に吸収・保持された軟便、尿等の体液を吸収することができる。このように、周辺域５１のみならず、受容スペースＳを画成する排泄物受容域５０も吸収性を有することによって、排泄物受容域５０が吸収性を有しない場合に比べて、吸収体２５全体の吸収性能が向上することができる。また、軟便等の吸収に時間を要する場合や繰り返し排泄されて全て吸収するまでに時間を要する場合であっても、受容スペースＳ内に速やかに一時的に保持し、かつ、排泄物受容域５０及び周辺域５１の吸収力によって吸収することができる。
【００３６】
図５（ａ）,（ｂ）及び図６を参照すると、本実施形態においては、周辺域５１は、排泄物受容域５０の外周縁の少なくとも一部に沿って位置する第１吸収部５２と、第１吸収部５２の外周から外方へ延在する第２吸収部５３とを有し、かつ、第１吸収部５２のＳＡＰ粒子の含有率が第２吸収部５３のＳＡＰ粒子の含有率よりも高くなっていることから、第１吸収部５２は第２吸収部５３よりもさらに上方へ隆起した形状を有している。
【００３７】
第１吸収部５２の厚さ寸法Ｄ２が、第２吸収部５３の厚さ寸法Ｄ３よりも大きくなることによって、第１吸収部５２に囲まれた排泄物受容域５０との段差がさらに大きくなっており、比較的に深くて容量の大きな受容スペースＳが形成される。したがって、周辺域５１が第１吸収部５２を有しない場合に比べて、多量の排泄物を保持・収容することができる。ただし、周辺域５１の第１吸収部５２はオプションであって、周辺域５１が第１吸収部５２を有しない場合、すなわち、周辺域５１全体においてＳＡＰ粒子の含有量に差がない場合であっても、周辺域５１のＳＡＰ粒子の含有率が排泄物受容域５０のＳＡＰ粒子の含有率よりも高いことによって、吸収体２５の体液吸収後において排泄物受容域５０は周辺域５１よりも厚さ寸法が小さくなって、受容スペースＳが形成される。
【００３８】
吸収体２５の各域５０，５１のＳＡＰ粒子の含有率についていえば、周辺域５１の第２吸収部５３のＳＡＰ粒子の含有率は２０〜６０％であって、吸収体２５の所要の吸収力に応じて適宜自由に設定することができる。排泄物受容域５０のＳＡＰ粒子の含有率は、第２吸収部５３のＳＡＰ粒子の含有率よりも低く、例えば、３．０〜１０．０％、周辺域５１の第１吸収部５２のＳＡＰ粒子の含有率は、第２吸収部５３のＳＡＰ粒子の含有率よりも高く、例えば、３０〜７０％である。
【００３９】
ここで、吸収体２５の保液量が３００〜６００ｇの場合において、その保液量が限界に達した場合に、保液量が１００％という。吸収体２５の体液吸収後における各領域５０，５１の厚さ寸法Ｄ１，Ｄ２，Ｄ３は、吸収体２５の保液量が少なくとも３０％に達した状態において後記の測定方法によって測定したものである。
【００４０】
排泄物受容域５０は、クロッチ域１３において、横断中心線Ｑに関して前ウエスト域１１側又は後ウエスト域１２側に偏倚して位置していることが好ましい。すなわち、排泄物受容域５０は、クロッチ域１３のうちの横断中心線Ｑから前ウエスト域１１側へ延びる前方区域と、横断中心線Ｑから後ウエスト域１２側へ延びる後方区域とのうちのいずれかに配置されていればよい。
【００４１】
排泄物受容域５０は、直接的に排泄物を保持・収容するために、着用者の排泄口近傍と対向することが好ましく、クロッチ域１３の前ウエスト域１１側に偏倚することによって着用者の排尿器近傍と対向し、クロッチ域１３の後ウエスト域１２側に偏倚することによって、着用者の肛門近傍と対向することができる。
【００４２】
排泄物受容域５０は、少なくともクロッチ域１３に位置していればよく、その一部が前ウエスト域１１又は後ウエスト域１２に位置していてもよい。また、排泄物受容域５０は、比較的に多量の排泄物を吸収・保持するために所要の面積を有しており、クロッチ域１３の前方区域又は後方区域の２５〜８０％の大きさを有していることが好ましい。
【００４３】
排泄物受容域５０は、複数の圧縮凹部６０を有することによって、局所的に吸収性コア３０の密度が高くなっていることから体液を内部に引き込み易く、より効率的に体液を吸収することができ、また、所要の剛性が付与されて、排泄物受容域５０が着用中によれたり、変形したりするのを抑制することができる。さらに、排泄物受容域５０を広範囲で均一に圧縮する場合に比べて、複数の圧縮凹部６０を散点状に配置することで、体液を吸収してＳＡＰ粒子が膨潤したときに、より均一に膨潤して吸収体２５が歪な形状になるのを抑制することができる。
【００４４】
また、排泄物受容域５０全体の面積に対する複数の圧縮凹部６０の総面積率は、１０〜６５％であることが好ましい。圧縮凹部６０の総面積率が６５％を超える場合には、排泄物受容域５０の剛性が比較的に高くなって着用中に着用者に違和感を与えるおそれがある。一方、圧縮凹部６０の総面積率が１０％未満の場合には、着用する際に表面シート２１を介して排泄物受容域５０の外形輪郭を視認し難くなったり、所望の体液の引込み効果を発揮することができなくなるおそれがある。
【００４５】
排泄物受容域５０の複数の圧縮凹部６０は、吸収体２５にのみ形成されるほかに、吸収体２５と表面シート２１とを積層した状態において、表面シート２１の上面から熱エンボス（デボス）加工を施すことによって、表面シート２１と吸収体２５とに圧縮凹部６０を形成するようにしてもよい。
【００４６】
かかる場合においては、表面シート２１、表面シート２１と接触して吸収性コア３０の肌対向面側に位置する第１コアカバーシート３１ａ、吸収性コア３０の非肌対向面側に位置する第２コアカバーシート３１ｂのうちの少なくとも１つのシートが熱可塑性繊維を含む繊維不織布から形成されていることが好ましい。それによって、熱エンボス加工を施したときに熱可塑性繊維が融着して積層された各シート２１，３１ａ，３１ｂ及び吸収性コア３０との接合強度を向上させることができる。
【００４７】
また、通常、ＳＡＰ粒子を含む吸収体に熱エンボス加工によって比較的に深い圧縮凹部を形成する場合には、エンボスピンがＳＡＰ粒子に比較的に強く接触してコアカバーシートの一部が破れてしまうおそれがあるが、排泄物受容域５０はＳＡＰ粒子の含有率が低いことから、熱エンボス加工時においてコアカバーシート３１の一部が破れてしまうことはない。したがって、通常よりも深さのある圧縮凹部６０を形成することができる。
【００４８】
再び、図４の拡大図を参照すると、表面シート２１の内面における、排泄物受容域５０の圧縮凹部６０と厚さ方向において対向する部分には、接着剤３３（ホットメルト接着剤）が塗布されている。このように、表面シート２１の内面において圧縮凹部６０と対向する部分に接着剤３３が塗布されていることによって、圧縮凹部６０を吸収体２５にのみ形成している場合であっても表面シート２１を圧縮凹部６０に沿って凹状に変形させることができ、着用前に排泄物受容域５０の外形線をより明瞭にして視認させることができる。
【００４９】
図２を参照すると、排泄物受容域５０は、バリアカフ２７の倒伏された状態において、バリアカフ２７の縦方向へ延びる内側縁部、すなわち、遠位縁部２７ｂ間に配置され、内側縁部と重なっていない。排泄物受容域５０がバリアカフ２７の遠位縁部２７ｂ間に配置されていることによって、排泄物受容域５０の収容容量を超えて吸収・保持することができなかった排泄物が横漏れするのを効果的に抑制することができる。バリアカフ２７の縦方向へ延びる内側縁部とは、図示例のように、バリアカフ２７の遠位縁部２７ｂが横方向の内側へ倒伏されて固定された態様を有する場合には遠位縁部２７ｂを意味し、一方、バリアカフ２７の遠位縁部２７ｂが横方向の外側へ折り返された状態で固定された場合には、折り返されて固定された部分（近位縁部２７ａの内側縁部）を意味する。したがって、バリアカフ２７が横方向の外側へ折り返された状態で固定された場合には、バリアカフ２７と重ならないように、それらの折り返されて固定された部分間に排泄物受容域５０が配置される。
【００５０】
排泄物受容域５０は、後ウエスト域１２を保持するためのホールド域の縦方向の内側に位置し、平面視においてホールド域と重なっていない。このように、排泄物受容域５０がホールド域と重なっていないことによって、ホールド域によって排泄物受容域５０が肌に押し当てられて受容スペースＳが崩れるのを抑制することができる。また、排泄物受容域５０がクロッチ域１３の前ウエスト域１１側へ偏倚している場合には、前ウエスト域１１を保持するためのホールド域と重なっていないことが好ましい。
【００５１】
図示していないが、排泄物受容域５０は、表面シート２１又は裏面シート２２を介して外部から視認可能な着色部分を有することが好ましい。着色部分には、感圧性の着色剤のほかに、尿によって呈色する着色剤を用いることができる。
【００５２】
感圧性の着色剤を用いる場合には、製造工程において、排泄物受容域５０内の吸収性コア３０の表面にマイクロカプセルに包まれた無色の着色剤を塗布し、圧縮凹部６０を形成するための熱エンボス加工時においてマイクロカプセルが破れて赤色、青色等に発色させることができる。かかる場合には、排泄物受容域５０において圧縮凹部６０の位置と着色部分の位置とが一致することで、おむつ１０の内面側又は外面側から着色部分の視認性が向上する。着用前に排泄物受容域５０が着色されていることによって、着用者及び着用者補助者に対して排泄物受容域５０を認識させ、排泄物の横漏れや排泄物の身体への付着に対して安心感を与えることができる。
【００５３】
尿と接触することによって呈色する着色剤を用いる場合には、排泄物受容域５０内の吸収性コア３０の表面及び／又は裏面に指示薬（例えば、ＰＨ指示薬）等を塗布し、吸収性コア３０に体液が拡散されることによって着色させることができる。かかる場合には、着色剤が排尿のあったことを知らせるインジケータとしての機能を有する。通常、排尿検知用のインジケータは、着色剤をライン状に延びるホットメルト接着剤に含有させて配置する態様を有するものであってその着色面積は比較的に小さくなるが、排泄物受容域５０全体に着色部分が位置することによって着色面積が比較的に大きくなり、おむつ１０の内外面から容易に視認することができる。また、排泄物受容域５０は排泄物が吸収・保持させる領域であることから着色剤は体液に触れて着色しやすく、さらに、比較的に深い受容スペースＳ内に広く着色部分が形成されることで、その立体的形状と相俟って、より着色部分の視認性が向上する。また、おむつ１０は、一部に着色部分を有することによって情緒的価値が提供されるとともに、着色部分が着用する際の位置合わせとしても機能しうる。着色手段としては、着色剤を含んだホットメルト接着剤を塗布するほかに、着色された繊維層を使用してもよい。
【００５４】
おむつ１０の内外面側から排泄物受容域５０の着色部分が視認されるようにするために、排泄物受容域５０と着色されていない周辺域５１との色差ΔＥは、５．０以上であることが好ましい。色差ΔＥは、市販の測色器を使用して、例えば、ＪＩＳＺ８７２９等に規定されるＣＩＥ１９７６（L*a*b*）色空間に基づいて数値化した値を比較することによって求めることができる。
【００５５】
下記の表１は、本発明に係るおむつ１０の実施例１〜５及び比較例１〜３の人工尿の吸収前の厚さ寸法（ｍｍ）、人工尿の吸収後の厚さ寸法（ｍｍ）、人工軟便の拡散面積（ｃｍ２）、人工軟便の付着量（ｇ）を評価したものである。実施例１〜５及び比較例１〜３のおむつにおいて、吸収体は、ＳＡＰ粒子とパルプ繊維との混合物から形成された吸収性コアと、吸収性コアの上下面をそれぞれ被覆する質量１７ｇ／ｍ２のティッシュペーパから形成された上下コアカバーシートとから構成した。また、吸収体の上面に、質量２２ｇ／ｍ２のエアスルー繊維不織布製の表面シートをホットメルト接着剤を介して接合した。
【００５６】
なお、比較例１〜３のおむつとして、吸収体のＳＡＰ粒子の含有率がほぼ同じものを作製したが、実施例１〜５の排泄物受容域５０と同じ位置、大きさを指定して排泄物受容域、周辺域の第１吸収部、第２吸収部とした。
【００５７】
【表１】
2019118543.tif 000003
【００５８】
＜実施例１＞
吸収体２５の吸収性コア３０において、排泄物受容域５０のＳＡＰ粒子の質量は８．７ｇ／ｍ２、周辺域５１の第１吸収部５２のＳＡＰ粒子の質量は１９４．６ｇ／ｍ２、周辺域５１の第２吸収部５３のＳＡＰ粒子の質量は１３２．７ｇ／ｍ２、排泄物受容域５０のパルプ繊維の質量は２４６．２ｇ／ｍ２、周辺域５１の第１吸収部５２のパルプ繊維の質量は３９２．８ｇ／ｍ２、周辺域５１の第２吸収部５３のパルプ質量は３４０．４ｇ／ｍ２であった。
【００５９】
また、実施例１の吸収体２５の排泄物受容域５０に位置する圧縮凹部６０の配置パターンは複数のドット状であって、圧縮凹部６０は吸収体２５の肌対向面側から非肌対向面側へ向かって凹となるように形成されており、表面シート２１は圧縮凹部６０によって圧縮されていない。
【００６０】
＜実施例２＞
実施例２に係るおむつ１０においては、吸収性コア３０のＳＡＰ粒子の質量が全体として少なくなっている以外は、実施例１と同様の構成を有する。
【００６１】
＜実施例３＞
実施例３に係るおむつ１０として、吸収性コア３０に形成される圧縮凹部６０をドット状ではなく、連続して直線状に延びる複数の圧縮凹状ラインを交差してなる格子状に配置したものを作製した。
【００６２】
＜実施例４＞
実施例４に係るおむつ１０として、表面シート２１上から圧縮エンボス加工を施し、表面シート２１と吸収体２５とが圧縮された複数のドット状の圧縮凹部６０を有するものを作製した。
【００６３】
＜実施例５＞
実施例５に係るおむつ１０は、吸収性コア３０のパルプ繊維の含有量が全体として少なくなっている以外は、実施例１と同様の構成を有する。
【００６４】
＜比較例１＞
吸収体全体としてＳＡＰ粒子の含有率がほぼ同じであって、排泄物受容域には圧縮凹部が形成されていないおむつを比較例１とした。
【００６５】
＜比較例２及び比較例３＞
吸収体は全体としてＳＡＰ粒子の含有率がほぼ同じであって、排泄物受容域には実施例１と同様の配置パターンで圧縮凹部が形成されているおむつを比較例２，３とした。また、比較例２の吸収体は、比較例１の吸収体にエンボス加工を施してドット状の圧縮凹部を形成したものであって、比較例３の吸収体は、比較例１の吸収体において、エンボス加工対応領域の吸収性コアの質量を他の領域に比べて低くして、エンボス加工を施してドット状の圧縮凹部を形成したものである。
【００６６】
＜人工尿の吸収前・吸収後における各領域の厚さ寸法の測定＞
各領域の厚さ寸法の測定には、市販の厚み計（例えば、（株）大栄化学精器製作所製  型式ＦＳ−６０ＤＳ）を使用した。厚み計の測定端子径（例えば、１５ｃｍ２）は、測定部位よりも小さくなるようにサンプルの大きさに合わせて調整し、５．０ｇｆ／ｃｍ２荷重下において測定した。また、同様の測定方法によって、着用補助者が使用前におむつ１０の肌対向面側を指先で撫でるように触れたときを想定した低荷重下の表面シート２１の厚さ寸法についても、１．５ｇｆ／ｃｍ２荷重下で測定した。
【００６７】
実施例１〜５及び比較例１〜３のおむつから吸収体を取り出し、排泄物受容域、周辺域の第１吸収部、周辺域の第２部分のそれぞれについて、厚み計で厚さ寸法（ｍｍ）を測定し、人工尿の吸収前の各領域の厚さ寸法とした。次に、１２０ｇの人工尿を入れたパッドに吸収体を肌対向面側を下方にした状態で浸して人工尿を均一に吸収させた後（保液量が３０％以上）、ＳＡＰ粒子を十分に膨潤させるために５分間静置した。５分経過後に、排泄物受容域、周辺域の第１吸収部、周辺域の第２部分に相当する領域のそれぞれについて厚み計で厚さ寸法（ｍｍ）を測定し、人工尿の吸収後における各領域の厚さ寸法とした。人工尿には、例えば、イオン交換水、尿素、塩化ナトリウム、硫酸マグネシウム、塩化カルシウム及び色素（青色１号）を任意の割合で調製したものを用いた。
【００６８】
＜人工軟便の拡散面積の測定＞
人工尿の吸収後の厚さ寸法の測定が終了した後に、排泄物受容域の中央に人工軟便１５ｇを置き、その上に１０ｃｍ四方の濾紙（３０ｇ）を載せ、さらに底面面積が１０ｃｍ×１０ｃｍであって質量が２．０ｋｇの錘を濾紙の上に載置して１分間静置した。静置した後に、錘を外して濾紙の重量変化、すなわち、測定前の濾紙の重量と測定後の濾紙の重量との差を算出して、人工軟便の付着量（ｇ）とした。また、排泄物受容域から濾紙を取り除いた後に、吸収体の上方において離間し、かつ、排泄物受容域の全体を覆うように１０ｃｍ四方の白色紙を配置する。人工便には、例えば、セルロース粉末、ベントナイト、イオン交換水、色素（赤色）を任意の割合で調製したものを用いた。
【００６９】
次に、該白色紙が画面に映り込むように、白色紙を介して吸収体の排泄物受容域近傍における人工便の拡散状態をデジタルカメラ撮影し、得られたデジタル画像に基づき白色紙を基準として人工軟便の拡散した部分（赤色の部分）の面積（ｃｍ２）を算出した。具体的には、デジタル画像をコピー紙にカラー印刷し、該紙部分と拡散領域の部分とをそれぞれ切り抜いて、切り抜いた紙片の重量比から拡散した部分の面積（ｃｍ２）を算出した。
【００７０】
表１を参照すると、実施例１〜５は、ＳＡＰ粒子の含有率が低い排泄物受容域５０を有し、人工尿の吸収後における周辺域５１の第１吸収部５２の厚さ寸法が排泄物受容域５０の厚さ寸法の３．１〜４．９倍であることから、吸収体２５の排泄物受容域５０の存在域には比較的に深い受容スペースＳが形成された。そのために、人工軟便の拡散面積は３９．４〜４３．６ｃｍ２であって比較的に小さく、かつ、人工軟便の付着量も３．７〜４．３ｇであって比較的に少なかった。また、実施例３と実施例２とを比較すると、圧縮凹部６０を連続したラインからなる格子状に配置することによって、人工尿の吸収後における排泄物受容域５０の厚さ寸法を小さくすることができ、より深い受容スペースＳを形成することができた。
【００７１】
一方、比較例１〜３においては、排泄物受容領域のＳＡＰ粒子の含有率が他の領域とほぼ同じであることによって、人工尿の吸収後における周辺域の第１吸収部の厚さ寸法が排泄物受容域の厚さ寸法の１．１〜１．８倍であって、吸収体の排泄物受容域の存在域には比較的に浅い受容スペースが形成された。そのために、人工軟便の拡散面積は６４．８〜７４．０ｃｍ２であって比較的に大きく、かつ、人工軟便の付着量も６．３〜６．５であって比較的に多かった。
【００７２】
以上のとおり、吸収体２５にＳＡＰ粒子の含有率が低い排泄物受容域５０が形成されることによって比較的に深い受容スペースＳが形成され、軟便の拡散と軟便の肌への付着を効果的に抑制することができるといえる。
【００７３】
＜第２実施形態＞
図７は、本発明の第２実施形態におけるおむつ１０の展開平面図である。本実施形態においては、吸収体２５の排泄物受容域５０は略角丸長方形状を有し、周辺域５１の第１吸収部は、排泄物受容域５０の両側縁に沿って延びる第１及び第２縦断部分５２Ａ，５２Ｂと、排泄物受容域５０の縦方向の外側において横方向へ延びる横断部分５２Ｃとを有する。
【００７４】
本実施形態においては、排泄物受容域５０がクロッチ域１３の後ウエスト域１２側に位置し、かつ、周辺域５１の第１吸収部５２が横断中心線Ｑに向かって開口した凹状を有していることから、クロッチ域１３側から後ウエスト域１２側へ流れた軟便を排泄物受容域５０において吸収・保持することができるとともに第１吸収部５２が障壁となって、軟便がさらに後ウエスト域１２側へ流動するのを防ぐことができる。
【００７５】
また、図示していないが、周辺域５１の第１吸収部５２は、第１及び第２縦断部分５２Ａ，５２Ｂと横断部分５２Ｃとのうちの少なくとも１つのみを有するものであってもよい。かかる場合であっても、その１つのみ配置された部分が、クロッチ域１３側から排泄物受容域５０内に進入した排泄物の流動を阻止するための障壁として機能しうる。
【００７６】
第１吸収部５２が、第１及び第２縦断部分５２Ａ，５２Ｂのみから形成される場合、すなわち、排泄物受容域５０の縦方向の内外側に第１吸収部５２が存在しない場合には、第１及び第２縦断部分５２Ａ，５２Ｂが排泄物の横方向への流動を阻止する障壁となり、排泄物の横漏れ及びバリアカフ２７が排泄物によって汚れるのを抑制することができる。
【００７７】
また、第１吸収部５２が、横断部分５２Ｃのみから形成される場合、すなわち、排泄物受容域５０の横方向の外側には第１吸収部が存在しない場合には、横断部分５２Ｃが排泄物の縦方向への流動を阻止する障壁となり、例えば、乳幼児等の着用者が母親に抱っこされた状態、仰臥状態、伏臥状態にある場合等において、排泄物がウエスト開口側へ向かって流動して着用者の背部が汚れるのを抑制することができる。
【００７８】
また、図示していないが、排泄物受容域５０がクロッチ域１３の前ウエスト域１１側に位置し、かつ、周辺域５１の第１吸収部が横断中心線Ｑに向かって開口した凹状を有していてもよい。第１吸収部が排泄物受容域５０全体を囲んだ形態を有していなくても、クロッチ域１３側から前ウエスト域１１側へ流れた尿を排泄物受容域５０において吸収・保持することができるとともに、凹状の第１吸収部が障壁となって、尿がさらに前ウエスト域１１側へ流動するのを防ぐことができる。
【００７９】
このように、周辺域５１の第１吸収部が前ウエスト域１１側に位置する場合であっても、第１及び第２縦断部分５２Ａ，５２Ｂ並びに横断部分５２Ｃのうちの少なくとも１つの部分が配置されていればよい。第１吸収部が第１及び第２縦断部分５２Ａ，５２Ｂのみ又は横断部分５２Ｃのみから形成されている場合においては、排泄物受容域５０が後ウエスト域側に位置する場合と同様の排泄物の流動を阻止する障壁としての効果を有する。特に、排泄物受容域５０が前ウエスト域１１側に位置する場合において、第１吸収部が横断部分５２Ｃを有する場合には、それが障壁となって、クロッチ域１３側から排泄物受容域５０に進入した排泄物がさらに前端部１６へ向かって流動し、着用者の腹部を汚すのを抑制することができる。
【００８０】
＜第３実施形態＞
図８は、本発明の第３実施形態に係るおむつ１０の吸収体の平面図である。本実施形態においては、吸収体２５の周辺域５１には、肌対向面側から非肌対向面側へ凹となる複数のドット状の圧縮凹部７０が、いわゆる千鳥状に配置されている。かかる配置態様を有することによって、圧縮凹部７０が集中しすぎて吸収体２５の剛性が局所的に高くなるのを抑制することができる。圧縮凹部７０は、排泄物受容域５０に位置する圧縮凹部６０に比べて浅く、圧縮凹部７０とその周辺に位置する非圧縮部分との間に大きな段差が形成されるものではない。
【００８１】
吸収体２５の周辺域５１全体にも複数の圧縮凹部７０から形成されていることによって、周辺域５１は圧縮凹部７０が配置されていない場合に比べて比較的に剛性が高くなり、着用中における吸収体２５全体のよれがさらに抑制され、周辺域５１に囲まれた排泄物受容域５０が外力によって変形するのをさらに抑制することができる。
【００８２】
＜第４実施形態＞
図９（ａ）は、本発明の第４実施形態に係る着用物品の図５（ａ）と同様の断面図、図９（ｂ）は、本発明の第４実施形態に係る図５（ｂ）と同様の一部拡大断面図である。
【００８３】
図９（ａ）を参照すると、実施形態においては、吸収体２５の体液吸収前の状態において、吸収体２５の表面はほぼ平坦状であって、周辺域５１の厚さ寸法Ｄ２，Ｄ３と排泄物受容域５０の厚さ寸法Ｄ１とは、ほぼ同じ大きさである。
【００８４】
図９（ｂ）を参照すると、吸収体２５の体液吸収後の状態において、ＳＡＰ粒子の含有率が、周辺域５１の第１吸収部５２≧周辺域５１の第２吸収部分５３＞排泄物受容域５０となっていることから、ＳＡＰ含有率に応じて各領域５０，５１の厚さ寸法Ｄ１，Ｄ２，Ｄ３が変化しており、周辺域５１の第１吸収部の厚さ寸法Ｄ２≧周辺域５１の第２吸収部５３の厚さ寸法Ｄ３＞排泄物受容域５０の厚さ寸法Ｄ１となっている。
【００８５】
したがって、かかる実施形態においても、周辺域５１の厚さ寸法Ｄ２，Ｄ３よりも排泄物受容域５０の厚さ寸法Ｄ１が小さくなることによって、それらの間には大きな段差が形成され、排泄物受容域５０には、排泄物を吸収・保持することが可能な受容スペースＳが形成される。また、周辺域５１が排泄物受容域５０の外周を囲む、比較的に高い吸収性を有する第１吸収部５２を有することから、比較的に深い受容スペースＳが形成され、より多量の排泄物を吸収・保持することができる。
【００８６】
このように、吸収体２５が体液を吸収する前の状態において、周辺域５１の厚さ寸法Ｄ２，Ｄ３と排泄物受容域５０の厚さ寸法Ｄ１とがほぼ同じであっても、吸収体２５の体液の吸収前よりも吸収後における周辺域５１の厚さ寸法Ｄ２，Ｄ３と排泄物受容域５０の厚さ寸法Ｄ１との差が大きく、かつ、後者が前者よりも小さいことによって、おむつ１０の排泄物受容域５０の存在域には、排泄物を吸収・保持することのできる受容スペースＳが形成される。
【００８７】
したがって、例えば、吸収体２５の体液吸収前の状態として、排泄物受容域５０の厚さ寸法Ｄ１よりも周辺域５１の厚さ寸法Ｄ２，Ｄ３が小さい場合であっても、体液吸収後のそれらの厚さ寸法Ｄ１−Ｄ３の大きさの相関関係が逆転することによって、おむつ１０の排泄物受容域５０の存在域に受容スペースＳが形成されるといえる。よって、本明細書における、体液の吸収前及び吸収後における排泄物受容域５０の厚さ寸法Ｄ１と周辺域５１の厚さ寸法Ｄ２，Ｄ３との差は絶対値である。
【００８８】
おむつ１０を構成する各構成部材には、特に明記されていない限りにおいて、本明細書に記載されている材料のほかに、この種の分野において通常用いられている、各種公知の材料を制限なく用いることができる。また、本明細書及び特許請求の範囲で使用されている、「第１」及び「第２」の用語は、同様の要素、位置等を単に区別するために用いている。
【符号の説明】
【００８９】
１０  着用物品（使い捨ておむつ）
１１  前ウエスト域
１２  後ウエスト域
１３  クロッチ域
２１  表面シート
２５  吸収体
２７  バリアカフ
３０  吸収性コア
３１  コアカバーシート
３１ａ  第１コアカバーシート
３１ｂ  第２コアカバーシート
５０  排泄物受容域
５１  周辺域
５２  周辺域の第１吸収部
５２Ａ  第１縦断部分
５２Ｂ  第２縦断部分
５２Ｃ  横断部分
５３  周辺域の第２吸収部
６０  圧縮凹部
Ｄ１  排泄物受容域の厚さ寸法
Ｄ２  周辺域の第１吸収部の厚さ寸法
Ｄ３  周辺域の第２吸収部の厚さ寸法
Ｐ  縦断中心線
Ｑ  横断中心線
Ｘ  横方向
Ｙ  縦方向
Ｚ  厚さ方向
【図１】
2019118543.tif 000004
【図２】
2019118543.tif 000005
【図３】
2019118543.tif 000006
【図４】
2019118543.tif 000007
【図５】
2019118543.tif 000008
【図６】
2019118543.tif 000009
【図７】
2019118543.tif 000010
【図８】
2019118543.tif 000011
【図９】
2019118543.tif 000012